(57)【要約】【課題】内燃エンジンのカム軸に生ずるバルブ開閉に伴うトルク変動を、磁力を利用して吸収する。【解決手段】カム６及び従動スプロケット７を有するカム軸５に一体に回転部材１が固定され、エンジンボディに固定された固定部材９が上記回転部材に対向配置される。回転部材１及び固定部材９にそれぞれ磁石２，３が配置され、カム軸５のカムによるトルク変動を上記磁石の反撥力又は吸引力により吸収する。【選択図】図２
2011089477.tif 000002
【特許請求の範囲】
【請求項１】
内燃エンジンのカム軸に連動して回転する回転部材と、
該回転部材に近接して配置された固定部材と、
前記回転部材及び固定部材に、前記カム軸のカムがバルブを開閉作動することにより生ずるトルク変動を打消すように配置された磁石と、を備えた、
ことを特徴とするカム軸のトルク補償装置。
【請求項２】
前記カム軸に従動スプロケットを設け、該従動スプロケットにクランク軸の回転がタイミングチェーンを介して伝達されてなり、
前記回転部材が前記従動スプロケットに一体に設けられてなる、
請求項１記載のカム軸のトルク補償装置。
【請求項３】
前記磁石が、永久磁石である、
請求項１又は２記載のカム軸のトルク補償装置。
【請求項４】
前記磁石が、電磁石である、
請求項１又は２記載のカム軸のトルク補償装置。
【請求項５】
前記回転部材及び固定部材の一方が、一体の２個の部材であり、
前記回転部材及び固定部材の他方が、前記２個の部材の間に配置された真中部材であり、
前記２個の部材の前記真中部材に対面する側面に前記磁石を配置し、
前記真中部材の前記２個の部材に対面する両面に前記磁石を配置してなる、
請求項１ないし４のいずれか記載のカム軸のトルク補償装置。
【請求項６】
前記回転部材又は固定部材に配置された磁石が、各１個についてＮ極とＳ極を対面する側にて隣接して配置され、該磁石と対面する前記固定部材又は回転部材の磁石との間で閉じた磁気回路を形成してなる、
請求項１ないし５のいずれか記載のカム軸のトルク補償装置。
【発明の詳細な説明】
【技術分野】
【０００１】
本発明は、ガソリンエンジン、ディーゼルエンジン等の内燃エンジンのカム軸に作用するトルク変動を補償するトルク補償装置に関する。
【背景技術】
【０００２】
一般に、内燃エンジンは、クランク軸の回転をタイミングチェーン又はタイミングベルトによりカム軸に伝達し、カム軸に設けられているカムにより吸気バルブ及び排気バルブを開閉作動して、シリンダ内に混合ガスを供給し、またシリンダ内から廃ガスを排出している。上記カム軸は、吸気又は排気バルブをスプリングに抗して作動するため、１回転中（１サイクル）に大きなトルク変動を生じる。
【０００３】
上記タイミングチェーンは、その寿命が内燃エンジンの寿命及びオーバーホール時期の原因となることも多く、高い疲労強度、高い耐摩耗性及び静音性が求められており、エンジンの直噴化等、摩耗環境はさらに厳しくなることが予測される。また、燃費の向上及び排出ガスの削減の観点から低フリクション化も求められている。
【０００４】
上記タイミングチェーンとして、ローラチェーン及びサイレントチェーンが用いられ、チェーンメーカは、その材料、形状等のチェーン自体の改良並びにテンショナを含めたシステムを改良して、その耐久性の向上及び低フリクション化に努力しているが、上記カム軸のトルク変動を減少して、タイミングチェーンに作用する張力負荷を減少し、タイミングチェーン、ひいては内燃エンジンの寿命向上を図ることも考えられる。
【０００５】
従来、カム軸のトルク補償装置として下記特許文献１に記載したものが提案されている。カム軸には、カムがスプリングに抗して又は順じてバルブを作動する際にトルクパルス（トルク変動）を発生するが、上記トルク補償装置は、カム軸に、上記カムによるトルクパルスと逆位相の別のカムを設け、該カムがスプリングに抗して又は順じて回転するトルクパルスにより、上記実際にバルブを作動するカムのトルク変動を打消すものである。
【先行技術文献】
【特許文献】
【０００６】
【特許文献１】特開平４−２７２５５１号公報
【発明の概要】
【発明が解決しようとする課題】
【０００７】
上記カム軸のトルク補償装置は、バルブを作動するカムとは別のカムにスプリングで付勢されているカムフォロアを押付けるので、その分フリクションが増加すると共に、該トルク補償用カムに連動するカムフォロアの加速度運動により、求めていないトルクが発生してしまう。このため、上記トルク補償装置は、比較的高速で回転する内燃エンジンのカム軸のトルク変動を吸収するには、上記フリクションの増加によりエネルギーロスを発生し、また慣性による余分なトルクが発生し、カム軸のトルク補償装置として十分な性能を発揮することができない。
【０００８】
そこで、本発明は、磁力を利用してカム軸のトルク変動を吸収することにより、上述した課題を解決したカム軸のトルク補償装置を提供することを目的とするものである。
【課題を解決するための手段】
【０００９】
本発明は、内燃エンジンのカム軸（５）に連動して回転する回転部材（１）と、
該回転部材に近接して配置された固定部材（９）と、
前記回転部材及び固定部材に、前記カム軸のカム（６）がバルブを開閉作動することにより生ずるトルク変動を打消すように配置された磁石（２）（３）と、を備えてなる、
カム軸のトルク補償装置にある。
【００１０】
なお、上記磁石は、永久磁石及び電磁石を含み、更に他の磁石により磁力を生ずる磁性体をも含む。
【００１１】
前記カム軸（５）に従動スプロケット（７）を設け、該従動スプロケットに、クランク軸の回転がタイミングチェーンを介して伝達されてなり、
前記回転部材（１）が前記従動スプロケット（７）に一体に設けられてなる。
【００１２】
前記磁石（２，３）が、永久磁石である。
【００１３】
前記磁石（２，３）が、電磁石である。
【００１４】
例えば図５を参照すると、前記回転部材（１）及び固定部材（９）の一方が、一体の２個の部材であり、
前記回転部材及び固定部材の他方が、前記２個の部材の間に配置された真中部材であり、
前記２個の部材の前記真中部材に対面する側面に前記磁石を配置し、
前記真中部材の前記２個の部材に対面する両面に前記磁石を配置してなる。
【００１５】
なお、上記２個の部材は、軸方向に間隔を在して配置された円板状の部材でも、径方向に間隔を在して配置されたドラム状部材でもよく、真中部材は、上記２個の円板状部材の間に配置される円板状部材でも、上記２個のドラム状部材の間に配置されるドラム状部材でもよい。
【００１６】
例えば図７を参照すると、前記回転部材又は固定部材に配置された磁石が、各１個についてＮ極とＳ極を対面する側にて隣接して配置され、該磁石と対面する前記固定部材又は回転部材の磁石との間で閉じた磁気回路を形成してなる。
【００１７】
なお、上記カッコ内の符号は、図面と対照するためのものであるが、これにより特許請求の範囲に記載の構成に何等影響を及ぼすものではない。
【発明の効果】
【００１８】
請求項１に係る本発明によると、カム軸に作用するバルブ開閉に伴うトルク変動を、磁力によりトルク補償して上記トルク変動を小さくすることができ、カム軸へ伝達する最大トルクを減少してカム軸への動力伝達装置の負荷を小さくすることができる。
【００１９】
また、該トルク補償装置は、磁力によるため、互いに接触することがなく、フリクションによるエネルギーロスがなく、かつ経年変化が発生せず、また従来のカム及びバネによるトルク補償装置のように往復運動機構が存在しないため、カム軸の回転速度による補償装置の発生トルクへの影響が少なく、エンジンのカム軸のトルク補償装置として有効に機能する。
【００２０】
請求項２に係る本発明によると、カム軸に動力伝達するタイミングチェーンの張力負荷を減少するので、タイミングチェーンの疲労強度に対して有利になり、かつ摩耗伸びを減少して、タイミングチェーン自体の耐久性を向上すると共に、テンショナ及びバイブレーションダンパーを含めてタイミングチェーンシステムの耐久性を向上して、エンジンオーバーホールまでの寿命限界を長期化することができる。
【００２１】
また、タイミングチェーンの屈曲によるフリクション、ガイド及びテンショナ等とフリクションを減少し、かつタイミングチェーン自体及びスプロケットのサイズダウン及び伝達効率の高いサイレントチェーンの採用を可能とし、伝達に伴うエネルギーロスを減少して、エンジンの燃費向上及び静粛性の向上にも寄与することができる。
【００２２】
請求項３に係る本発明によると、永久磁石の吸引力又は反撥力を利用するので、構造が簡単で安価にかつコンパクトに構成できる。
【００２３】
請求項４に係る本発明によると、電磁石を用いて、例えばベクトル制御等により発生トルクの大きさ及びタイミングを調整して、カム軸のトルク変動を高い精度で吸収することが可能となる。
【００２４】
請求項５に係る本発明によると、２個の一体的な部材と、その間に位置する真中部材とで回転部材及び固定部材を構成するので、補償トルクを発生する磁石のスラスト力を打消して、該スラスト力による軸受等でのフリクションの発生を防止することができる。
【００２５】
請求項６に係る本発明によると、対面する磁石との間で閉じた磁気回路を形成するので、磁気の漏洩が小さく、高い効率にて磁石によるトルク補償を行うことができる。
【図面の簡単な説明】
【００２６】
【図１】本発明に係るトルク補償装置の基本を示す図で、（ａ）は回転部材を回転した状態を示す正面図、（ｂ）はその１サイクルのトルク変動を示す図。
【図２】（ａ）は、本発明によるカム軸のトルク補償装置の概略を示す斜視図、（ｂ）はそのトルクを示す図。
【図３】（ａ）は試験装置での発生トルクを示す図、（ｂ）は、内燃エンジンにトルク補償装置を適用した状態を示す図。
【図４】（ａ）〜（ｅ）は、トルク補償装置の磁石の異なる組合せを示す側面図。
【図５】（ａ）〜（ｆ）は、３個の円板による異なる磁石の組合せを示す側面図。
【図６】円板に４個の磁石を配置した実施の形態を示す図。
【図７】磁石の配置の異なる実施の形態を示す側面図。
【図８】電磁石を用いた実施の形態を示す正面図。
【図９】遠心力を利用した実施の形態を示す正面図。
【発明を実施するための形態】
【００２７】
以下、図面に沿って本発明の実施の形態について説明する。まず、図１に沿って、磁石によるカム軸の補償装置の原理について説明する。カム軸に固定されている回転部材（回転盤、ロータ）１の周方向１箇所に永久磁石２を固定すると共に、該回転部材１に対向する固定部材（ステータ）に１個の永久磁石３を固定する。上記両永久磁石は、同じ極が対面するように配置され、互に反撥するように構成されている。
【００２８】
そして、カム軸と共に回転部材１が回転し、回転側永久磁石２が固定側永久磁石３に近づくと、両磁石が互に反撥して、回転部材１にトルクを負荷し、該反撥による負荷（逆）トルクは、回転側永久磁石２が固定側永久磁石３に近づくに従って徐々に大きくなり、かつ両磁石の重なり量が１／２となる部分で最大となり、該重なり量が増えるに従って徐々に小さくなる。両磁石が対向する（完全に重なる）位置にあっては、上記反撥力によるトルクは０になり、該対向する位置を越えて回転部材１が回転すると、上記両磁石２，３の反撥力は、回転部材１の回転を助勢する方向のトルクを生じる。該助勢（順）トルクは、両磁石の重なり量が小さくなるに従って徐々に増加し、重なり量が１／２部分で最大となり、それから回転側磁石２が固定側磁石３から離れるに従って徐々に減少する。
【００２９】
即ち、回転側磁石２が固定側磁石３に対して近づき、対向し、そして離れることにより、図１（ｂ）に示すように、カム軸の１サイクルに近似サインカーブからなるトルクが負荷されそして助勢される。カム軸には、バルブをスプリングに抗して作動するための、同様に近似サインカーブからなるトルクが作用して、上記磁石によるトルクが、実際のカム作動によるトルクを打消すタイミングになるように設定される。上記原理を説明した図１のものは、１個の回転側永久磁石と１個の固定側永久磁石を用いて、ＤＯＨＣ（ダブル、オーバーヘッドカム）による１気筒エンジンに適用することを想定したものであるが、直列４気筒エンジンに適用する場合、カム軸の回転部材（ロータ）に４個の永久磁石が等角度（９０度）間隔で配置され、かつ固定側永久磁石も４個等角度間隔で配置される。また、ＳＯＨＣ（シングル、オーバーヘッドカム）の場合は、１本のカム軸に吸気バルブ用カム及び排気バルブ用カムが形成されており、上記両磁石が上記両カムの作動を打消すように配置することによりＳＯＨＣ方式のカム軸にも適用可能である。
【００３０】
図２は、本カム軸のトルク補償装置を、１気筒エンジンのＤＯＨＣ方式に適用した実施の形態の概略を示す図である。カム軸５にはカム６が形成されていると共に、従動スプロケット７が一体に固定されている。該従動スプロケット７には、エンジンクランク軸からの回転が図示しないタイミングチェーンを介して１／２に減速されて伝達されている。前記従動スプロケット７の側面にはドラム状の回転部材１が固定されており、回転部材１は非磁性体からなり、該回転部材の内周面１箇所に永久磁石２が固着されている。一方、固定部材であるエンジンボディにはドラム状の固定部材９が一体に固定されており、該固定部材９は非磁性体からなり、該固定部材の外周面１箇所に永久磁石３が固着されている。
【００３１】
上記回転部材１と固定部材９とは同芯状にかつ側面視互に重なるように配置され、また回転側磁石２と固定側磁石３とは同じ極が対面するように配置されている。例えば、回転側磁石２が、その内周側がＳ極で外周側がＮ極であると、固定側磁石３はその外周側がＳ極で内周側がＮ極になる。図中１０は、カムフォロアであり、カム６の周面に接触して追従し、かつスプリングに抗してバルブを開放位置に作動すると共に、スプリングに順じてバルブを閉塞位置に作動する。該カム６によるカム軸５のトルク変動を打消すように、上記両磁石２，３が配置されている。
【００３２】
従って、エンジン回転に伴うカム軸５の回転により、カム６が回転し、ロッカアーム、プッシュロッド等を含めたカムフォロア１０によりバルブを開閉する。この際、カム軸５は、図２（ｂ）に示すように、バルブスプリングにより変動トルクＣを受けるが、上記磁石２，３による補償トルクＤが上記変動トルクＣと逆向きに作用し、カム軸５の入力トルクＥは、変動の小さな平準化された値となる。これにより、タイミングチェーンを介してのカム軸５の入力トルクＥ、特にその最大値は小さくなり、タイミングチェーンの耐久性を向上する。また、タイミングチェーンのダウンサイジングやテンショナやバイブレーションダンパー等の抑え装置によるチェーン張力を低下して、それによる損失を減少し、エンジン燃費の向上にも寄与し得る。更に、タイミングチェーンに、ローラチェーンに比して伝達効率の高いサイレントチェーンの採用を可能として、燃費及びチェーンの耐久性の向上も図ることが可能となる。更に、上記トルク補償装置は、離間して配置される回転側磁石及び固定側磁石を用いるので、フリクションは生じず、フリクションロスを発生することはない。
【００３３】
回転部材１及び固定部材９を、外径が６０［ｍｍ］の円板とし、その外周に等角度（９０度）で４個のネオジム磁石を配置した試験装置により試験した。上記磁石は、１５×１０×ｔ５［ｍｍ］のものを、固定側及び回転側にそれぞれ４個ずつ、合計８個用い、異極同士が対面するようにかつ磁石のクリアランスが０．５［ｍｍ］になるように配置した。該試験装置による磁石は、先の説明とは相違して、吸引力を利用しており、その最大発生トルクは、１．８［Ｎ・ｍ］であった。
【００３４】
該磁石によるトルク補償装置を、４気筒のディーゼルエンジン（ＳＯＨＣ方式の１０００［ｃｃ］）に搭載したことによるシミュレーションを図３に示す。上記試験装置で発生した補償トルクを図３（ａ）に示し、それを上記エンジンのカム軸に搭載した場合の各トルクを図３（ｂ）に示す。なお、図３（ａ），（ｂ）において、縦軸は、カム軸のトルクであり、横軸はクランク軸の回転角である。従って、カム軸の回転角は、横軸の１／２となる。
【００３５】
試験装置による補償トルクは、最大を１．８［Ｎ・ｍ］とする近似サインカーブであり、該補償トルクの作用しない状態での上記エンジンの通常カムトルクＣは、最大７．６［Ｎ・ｍ］であって、近似サインカーブからなる。それに、上記補償トルクＤを作用すると、それらが合成されたカム軸の入力トルクＥは、最大５．８［Ｎ・ｍ］となり、通常カムトルクＣに比して２４［％］減少する。
【００３６】
図４は、磁石の異なる態様を示す図であり、左右の一方が回転部材であり、他方が固定部材である。（ａ）は、異なる磁極が対面するように配置され、吸引力により補償トルクを発生する。（ｂ）は、同極（例えばＮ極）同士が対面するように配置され、磁石の反撥により補償トルクを発生する。（ｃ）は、一方を永久磁石（永久磁石を磁石と表記する）とし、他方を鉄等の磁性体とするものであり、磁石の数が少なくて足りる。（ｄ）は、電磁石と磁石を用いるものであり、対面する極は、同極でも異極でもよい。（ｅ）は、一方に電磁石を配置し、他方に磁性体を配置したものである。なお、図４では、回転側及び固定側に円板を用いて、両磁石（又は磁性体）が軸方向に対面しているが、例えば図２に示すように、ドラム状の回転部材及び固定部材を用いて、両磁石が径方向に対面するようにしてもよいことは勿論である。
【００３７】
図５は、３枚の円板を用いた実施の形態を示す図である。両外側の２個の円板が一体に固定され、真中の円板との間で相対回転するように連結されている。例えば、両外側の円板が回転側であれば、真中の円板が固定側であり、両外側の円板が固定側であれば、真中の円板が回転側である。（ａ）は、両外側円板に電磁石が用いられ、真中の円板の両面に電磁石が配置される。対面する極は同極でも異極でもよい。（ｂ）は、両外側円板に電磁石（又は磁性体）が配置され、真中の円板の両面に磁性体（又は電磁石）が配置される。（ｃ）は、両外側円板に磁石（又は電磁石）が配置され、真中の円板に電磁石（又は磁石）が配置される。（ｄ）は、両外側円板に磁石（又は磁性体）が配置され、真中円板に磁性体（又は磁石）が配置される。（ｅ）は、両外側円板にＳ極（又はＮ極）が配置され、真中円板の両面にＮ極（又はＳ極）が配置され、磁石の吸引力により補償トルクを発生する。（ｆ）は、外側円板の一方にＳ極（又はＮ極）が配置され、他方にＮ極（Ｓ極）が配置され、真中円板の一方側面にＳ極（又はＮ極）が配置され、他方側面にＮ極（又はＳ極）が配置される。即ち、同極が対面する側に配置され、磁石の反撥力により補償トルクを発生する。
【００３８】
３枚の円板を用いることにより、磁力に発生するスラスト方向の荷重が打消されて、回転部材に作用することがなく、該スラスト力による軸受等に発生するフリクションをなくすことができる。なお、図５は、回転部材及び固定部材を円板として、軸方向に磁極が対面する実施の形態を示してあるが、回転部材及び固定部材をドラム状として、磁極が径方向で対面するようにしてもよいことは勿論である。例えば、カム軸に固定されるスプロケット（図２の符号７参照）にドラム状の回転部材を固定し、その外径側及び内径側にそれぞれエンジンボディに固定される外径側固定部材及び内径側固定部材を配置し、ドラム状回転部材の外周面及び内周面にそれぞれ磁石（又は電磁石、磁性体）を配置し、外径側固定部材の内周面及び内径側固定部材の外周面にそれぞれ磁石（又は電磁石、磁性体）を配置してもよい。また、固定側を１個のドラム状部材として、その内径側及び外径側に回転側のドラム状部材を配置してもよい。
【００３９】
図６は、１個の回転部材１の円周上に４個の磁石２を９０度毎に配置した実施の形態を示す。これにより、１回転で４周期のトルク変動が得られる。大きな補償トルク変動（最大トルク）を得たい場合、回転側及び固定側にそれぞれ４個の磁石を配置して、４個分の磁石の吸引力又は反撥力によるトルク変動が得られる。大きなトルクを必要としない場合、回転側及び固定側のどちらかの磁石を１個〜３個とすることにより、必要補償トルクに設定することができる。また、どちらの磁石を不均等（９０度から外れる位置）に配置することにより、発生トルクカーブを調整することが可能である。
【００４０】
図７は、磁石の配置に係る実施の形態を示す。対面する磁石にＮ，Ｓ極を配置したものであり、一方の外側円板１１に、外径側にＳ極（又はＮ極）、内径側にＮ極（又はＳ極）を配置し、それと対面する真中の円板１２の外径側にＮ極（又はＳ極）、内径側にＳ極（又はＮ極）を配置する。他方の外側円板１３の外径側にＮ極（又はＳ極）、内径側にＳ極（又はＮ極）を配置し、それと対面する真中円板１２の外径側にＳ極（又はＮ極）、内径側にＮ極（又はＳ極）を配置する。これにより、両外側円板１１，１３と真中円板１２とは、それぞれ外径側及び内径側で対面する異極により吸引力を発生して補償トルクを発生し、かつそれぞれの円板１１，１２，１３の１個の磁石が内径側及び外径側で異極となって、対面する磁石との間で閉じた磁気回路を形成し、磁気の漏洩が小さい。なお、磁石（永久磁石）で説明したが、電磁石でも同様であることは勿論であり、またドラム状の部材でも同様に適用される。
【００４１】
図８は、電磁石を用いたトルク補償装置の概略を示す図である。本トルク補償装置は、エンジンボディに固定されるドラム状の固定部材９とカム軸５に固定される回転部材１を有する。固定部材９には等間隔（１２０度）毎に鉄心３ａが設けられており、これら鉄心にコイル３ｂが巻回されて電磁石３が構成されている。回転部材１は、長方形状の多数の積層板１ａからなり、これら積層板の先端部分には永久磁石２が埋込まれている。従って、電磁石３を用いた本トルク補償装置は、ブラシレスＤＣモータと同様な構成からなる。また、回転部材に近接して、磁気センサー等からなる回転センサーが設けられており（図示せず）、回転部材１の回転位置が高い精度で検出される。
【００４２】
そして、上記３個の電磁石３のコイル３ｂはそれぞれコントローラに接続されており、これら３個の極がそれぞれ１回転分の１／３ずつ時間遅れをもたせた交流を流すことにより、１８０度間隔で固定された永久磁石２，２にプラス方向及びマイナス方向のトルクを付与する。コントローラは、回転部材１の回転位置の検出に基づき、適正なタイミングで各極に流れる電流を例えばベクトル制御により調整し、回転部材１に所望のタイミング及び大きさのプラス方向及びマイナス方向のトルクを付与する。これにより、カム軸５のトルク変動を吸収し、かつカム軸の回転速度の相違に基づくバルブ慣性によるトルク変動をも適正に吸収することが可能となる。
【００４３】
図９は、カム軸の回転速度に応じて磁力を調整するトルク補償装置を示す。エンジンボディに固定されるドラム状の固定部材９とカム軸５に固定される円筒状の回転部材１とを有する。固定部材９の内周面には所定数、例えば１個の永久磁石３が固定されている。回転部材１には半径方向に孔１５が形成されており、該孔には永久磁石２が径方向に移動自在に嵌合されており、該磁石は、カム軸５との間に張設されたスプリング１６により内径方向に付勢されている。上記孔１５には所定径方向長さの溝１５ａが形成されており、該溝に前記磁石３に固定されたピン１７が嵌合し、磁石３の移動範囲が規制されている。
【００４４】
以上構成に基づき、本トルク補償装置は、エンジン停止時、カム軸５の回転も停止し、回転側磁石２はスプリング１６に引張られて、固定側磁石３から離れた位置に位置決めされる。エンジンが回転し、カム軸５が回転すると、一体に回転側磁石２も回転し、該磁石２に遠心力が作用する。回転側磁石２は、該遠心力と上記スプリング１６の張力とが釣合った位置に設定される。カム軸５の回転が低速の場合、遠心力は小さく、スプリング張力により回転側磁石２は、固定側磁石３から比較的に離れた位置になる。カム軸５の回転が高速の場合、回転側磁石２に作用する遠心力は大きく、回転側磁石２は、固定側磁石３に近づいた位置になる。
【００４５】
これにより、カム軸５の回転が低速の場合は、磁石による補償トルクは比較的小さいが、カム軸５の回転が高速となって、比較的大きなバルブ慣性力も作用する場合、それに対応して補償トルクも大きくなり、適正にカム軸の変動トルクを吸収することが可能となる。なお、上記永久磁石２，３は、同極が対面しても異極が対面するように配置してもよく、また一方の永久磁石に代えて磁性体を配置してもよい。
【００４６】
なお、上記説明では、カム軸に回転部材を一体に固定してあるが、可変バルブ機構（ＶＶＴ）を有するものにも適用可能であり、この場合、カム軸と従動スプロケットとの間に可変バルブ機構が介在し、カム軸と従動スプロケットとの角度が可変となる。また、クランク軸からカム軸への動力伝達は、タイミングチェーンに限らず、タイミングベルト又はギヤによるものにも同様に適用可能である。
【符号の説明】
【００４７】
１    回転部材
２    磁石
３    磁石
５    カム軸
６    カム
７    従動スプロケット
９    固定部材
【図１】
2011089477.tif 000003
【図２】
2011089477.tif 000004
【図３】
2011089477.tif 000005
【図４】
2011089477.tif 000006
【図５】
2011089477.tif 000007
【図６】
2011089477.tif 000008
【図７】
2011089477.tif 000009
【図８】
2011089477.tif 000010
【図９】
2011089477.tif 000011
【手続補正書】
【提出日】平成21年11月26日(2009.11.26)
【手続補正１】
【補正対象書類名】図面
【補正対象項目名】図１
【補正方法】変更
【補正の内容】
【図１】
2011089477.tif 000012